(57)【要約】  本発明の主題は、光学レンズの処理に続いて前記光学レンズについて光学検査がおこなわれるように光学レンズ１０を運ぶコンベヤーキャリッジに属する決められた方向の支持体１０１に引っかけられるレンズホルダーデバイス１であり、レンズホルダーデバイス１は、本体２と、本体２に連結された支持体１０１からぶら下がる吊り手段３と、本体２に連結された、レンズホルダーデバイス１の所定の場所に光学レンズ１０を維持する保持手段４を備えており、保持手段４は、光学レンズ１０の少なくとも一つの第一の休止点ａを定める支持手段５と、光学レンズ１０の少なくとも二つのさらなる休止点ｂ，ｃを定める弾性復元手段６を備えており、休止点ａ，ｂ，ｃは、光学レンズ１０の設置位置を定め、レンズホルダーデバイス１の本体は、光学レンズ１０によって占められる設置位置に面して位置している空間の部分のまわりを通るような方法で形づくられている。
2014508957.tif 000002
【特許請求の範囲】
【請求項１】
複数の光学レンズ（１０）を運ぶように意図されたコンベヤーキャリッジに属する決められた方向の支持体（１０１）に引っかけられるように意図されたレンズホルダーデバイス（１）であり、
・本体（２）と、
・前記本体（２）に連結された前記支持体（１０１）からぶら下がるための吊り手段（３）と、
・前記本体（２）に連結された、前記レンズホルダーデバイス（１）の所定の場所にひとつの光学レンズ（１０）を維持するための保持手段（４）を備え、前記保持手段（４）は、
・前記光学レンズ（１０）のための少なくとも一つの第一の休止点（ａ）を定める支持手段（５）と、
・前記光学レンズ（１０）のための少なくとも二つのさらなる休止点（ｂ，ｃ）を定める弾性復元手段（６）を備えており、
種々の休止点（ａ，ｂ，ｃ）は、前記光学レンズ（１０）のための設置位置を定め、
前記レンズホルダーデバイス（１）の前記本体は、前記光学レンズがその設置位置に配置されたときに、前記光学レンズの主要面（１２）に面して位置している空間の部分のまわりを通るような方法で形づくられている、レンズホルダーデバイス（１）。
【請求項２】
前記本体（２）は硬質である、請求項１に記載のレンズホルダーデバイス（１）。
【請求項３】
前記本体（２）は、前記光学レンズ（１０）の前記設置位置が広がっている平面と同じ平面内において前記光学レンズ（１０）の前記維持設置位置の周囲に延びている、前記少なくとも一つの第一の休止点と前記吊り手段の間の連結部を備えている、請求項１または２のひとつに記載のレンズホルダーデバイス（１）。
【請求項４】
前記光学レンズ（１０）の設置位置が広がっている前記平面は、前記デバイスが引っかけられる前記支持体（１０１）によって想定される方向に実質的に交差している、請求項３に記載のレンズホルダーデバイス（１）。
【請求項５】
前記支持手段（５）は、前記デバイスが引っかけられる支持体（１０１）によって想定される方向に対する実質長手平面内に延びているストップを有している、請求項３〜４のひとつに記載のレンズホルダーデバイス（１）。
【請求項６】
前記ストップは、ほぼカップ状である、請求項５に記載のレンズホルダーデバイス（１）。
【請求項７】
前記本体（２）は、前記支持体（１０１）の方向に交差しているとともに、少なくとも前記第一の休止点と前記レンズホルダーデバイス（１）の前記吊り手段（３）があてはまっている平面を、実質的に鉛直に、方向づけるように設計されたカウンターウェイトを有している、先行請求項のひとつに記載のレンズホルダーデバイス（１）。
【請求項８】
前記支持体手段は、ほぞ・ほぞ穴タイプのアッセンブリーによって前記本体（２）に連結される、先行請求項のひとつに記載のレンズホルダーデバイス（１）。
【請求項９】
請求項１ないし８のひとつに記載のレンズホルダーデバイス（１）を有している光学レンズの処理に続いて前記光学レンズ（１０）の光学検査をおこなうように前記光学レンズを運ぶように設計されたコンベヤーキャリッジ。
【請求項１０】
請求項９に記載のコンベヤーキャリッジを有している光学レンズ分析マシーン（１０）。
【発明の詳細な説明】
【技術分野】
【０００１】
本発明は、特に光学レンズの分析のために設計されたレンズホルダーデバイスに関する。
【背景技術】
【０００２】
レンズホルダーデバイスは、一般に、分析マシーンのコンベヤーキャリッジのホルダーに引っ掛けられ得、前記コンベヤーキャリッジは、光学レンズの処理に続く前記光学レンズに対して光学検査がおこなわれ得るように前記光学レンズを運ぶように設計されている。
【０００３】
これらの処理は、たとえば、化学強化、熱強化、または耐摩耗性を提供する処理、反スクラッチ処理、非反射処理、反汚れ処理、紫外線処理、または染色処理など、さまざまなタイプであってよい。
【０００４】
なされる分析も、特定の反射、透過またはかすめ入射光の、いくつかのタイプであってよい。
【０００５】
これらの分析をおこなうことができるために、測定調整を保つように、経時的に光学レンズに対して、またさまざまな重さの光学レンズに対して、同じ設置位置を維持することが望ましい。
【０００６】
支持体を有しているレンズホルダーがあることは、文献ＥＰ１４２８５８５Ｂ１から知られており、前記レンズホルダーデバイスは、前記支持体からぶら下がるための吊り手段が連結された本体と、決められた設置位置に前記光学レンズを維持するための手段を有している。
【０００７】
しかしながら、このレンズホルダーデバイスは、その本体の形状によって、透過およびかすめ入射光分析をおこなうことを可能でない。
【０００８】
本発明は、前述の欠点のすべてまたはいくつかを解決することを目指す。
【先行技術文献】
【特許文献】
【０００９】
【特許文献１】ＥＰ１４２８５８５Ｂ１
【発明の概要】
【００１０】
その目的のため、本発明は、複数の光学レンズを運ぶように意図されたコンベヤーキャリッジに属する決められた方向の支持体に引っかけられるように意図されたレンズホルダーデバイスに関しており、前記レンズホルダーデバイスは、本体と、前記本体に連結された前記支持体からぶら下がるための吊り手段と、前記本体に連結された、前記レンズホルダーデバイスの所定の場所に前記光学レンズを維持するための保持手段を備えており、種々の休止点は、前記光学レンズのための設置位置を定め、前記レンズホルダーデバイスの前記本体は、前記光学レンズによって占められる前記設置位置に面して位置している空間の部分のまわりを通るような方法で形づくられている。
【００１１】
このアレンジメントは、前記レンズホルダーデバイスの前記本体からのいかなる障害もなく、透過、反射またはかすめ入射光光学分析をおこなうことを可能にする。
【００１２】
用語「前記設置位置に面して」は、前記光学レンズがその設置位置に配置されたときに、前記光学レンズのオプティクスのための二つの主要ベースを通過するとともに前記光学レンズの設置位置があてはまっている平面に実質的に垂直である直線の組によって定められる、前記空間の一部分を指していると、もちろん理解されなければならない。
【００１３】
一つの実施形態によれば、前記本体は硬質である。
【００１４】
このアレンジメントは、透過、反射またはかすめ入射光分析のいずれであろうが、なされる光学分析のあいだに測定調整を特に保つように、前記レンズホルダーデバイスの前記本体からの障害なしに、経時的に前記光学レンズに対して、さまざまな重さのレンズに対して、同じ設置位置に維持することを可能にする。
【００１５】
一つの実施形態によれば、前記支持体手段は、前記吊り手段に対して静止している。
【００１６】
一つの実施形態によれば、前記支持手段によって定められる前記光学レンズのための第一の休止点の位置は、前記光学レンズの前記設置位置に静止しており、前記光学レンズの固有の特徴から独立している。
【００１７】
一つの実施形態によれば、前記弾性復元手段によって定められる前記光学レンズのための他の二つのさらなる休止点の位置は、前記光学レンズの固有の特徴に依存する。
【００１８】
一つの実施形態によれば、前記本体は、前記光学レンズの前記設置位置が広がっている平面と同じ平面内において前記光学レンズの前記維持設置位置の周囲に延びている、前記少なくとも一つの第一の休止点と前記吊り手段の間の連結部を備えている。
【００１９】
このアレンジメントは、前記レンズホルダーデバイスの低減された大部分での分析の測定を可能にするために前記レンズホルダーデバイスの前記本体を最も適切な設置位置に置くことを可能にする。
【００２０】
一つの実施形態によれば、光学レンズの設置位置が延びる平面は、前記デバイスが引っかけられる前記支持体によって想定される方向に実質的に交差している。
【００２１】
このアレンジメントは、変動する厚さの光学レンズに対して測定をおこなうことを可能にする。
【００２２】
一つの実施形態によれば、前記支持体手段は、前記デバイスが引っかけられる前記支持体によって想定される方向に対する実質長手平面内に延びているストップを有している。
【００２３】
一つの実施形態によれば、前記ストップは、ほぼカップ状である。
【００２４】
このアレンジメントは、前記ストップによって支持された光学レンズに安定性を与えることを可能にする。
【００２５】
一つの実施形態によれば、前記本体は、前記支持体の方向に交差しているとともに、少なくとも前記第一の休止点と前記レンズホルダーデバイスの前記吊り手段があてはまっている平面を、実質的に鉛直に、方向づけるように設計されたカウンターウェイトを有している。
【００２６】
このアレンジメントは、より厚く、したがって、より重い光学レンズの使用にもかかわらず、分析デバイス装置に対して比較的一定したアライメント位置を維持することを可能にする。
【００２７】
一つの実施形態によれば、前記支持体手段は、ほぞ・ほぞ穴タイプのアッセンブリーによって本体に連結される。
【００２８】
本発明はまた、先に説明されたようなレンズホルダーデバイスを有している光学レンズの処理に続いて前記光学レンズの光学検査をおこなうように前記光学レンズを運ぶように設計されたコンベヤーキャリッジに関する。
【図面の簡単な説明】
【００２９】
本発明はまた、そのようなコンベヤーキャリッジを有している処理マシーンに関する。
【００３０】
いずれにおいても、本発明は、非限定的な例として、本発明によるレンズホルダーデバイスを示している添付の図面に関連した続く説明を使用して、よく理解されるであろう。
【図１】図１は、本発明によるレンズホルダーデバイスの一つの実施形態のほぼ斜視図を示している。
【図２】図２は、図１のデバイスの第一の部分の詳細図を示している。
【図３】図３は、図１のデバイスの一部分の詳細な側面図を示している。
【図４】
【発明を実施するための形態】
【００３１】
図１に説明されるように、本発明の一つの実施形態によるレンズホルダーデバイス１は、フックとも呼ばれる、本体２を有しており、それには、特にコンベヤーキャリッジの直線シャーシ棒１０１によって具体化された支持体１０１への、レンズホルダーデバイス１のための吊り手段３が連結されており、また、光学レンズ１０を所定の場所に維持するための手段４を有している。
【００３２】
本体２は硬質であり、光学レンズ１０の重さの作用を受けて変形することはない。
【００３３】
レンズホルダーデバイス１の吊り手段３は、本体２の第一の端に連結されており、二つのブランチ３１ａ，３１ｂと開口３２を有している逆Ｕ字の形をしているキャッチ３１を形成している。
【００３４】
キャッチ３１のブランチ３１ａ，３１ｂの間に作り出された開口３２は、ブランチ３１ａ，３１ｂの部分の間につかまれるコンベヤーキャリッジのシャーシ棒１０１を受けるように設計されており、それらの一つ３１ａは、ノッチ１０２に係合される直線輪郭を有しており、その底部もまた直線であり、形状一致による遮断が、それぞれ、ブランチ３１ａの二つの直線面とノッチ１０２の底部の間の接触によってなされ、特に分析のあいだのコンベヤーキャリッジの運動の際に、本体２が棒１０１の周りに自由に回転して落下することを防止することをもたらす。
【００３５】
さらに、ブランチ３１ａは、ブランチ３１ａの二つの直線面とノッチ１０２の底部を一致させるようにシャーシ棒１０１に対するレンズホルダーデバイス１の挿入を制限することを可能にするストップ３３を有している。
【００３６】
これらの吊り手段３は、ノッチ１０２と同じ方位をもつ平面に沿った、特には実施形態では本体２の全体平面に対して実質的に縦に方位づけられた平面内の、本体２と共に単一ピースに作られている。
【００３７】
吊り手段３はまた、逆Ｕ字の形をしている、ストップ３３によって定められたつかみ手段３４を備えており、シャーシ棒１０１にレンズ保持デバイス１をつるす、またはそれからそれを取り外すようにそれをつかむことを可能にする。
【００３８】
したがって、レンズ保持デバイス１は、ノッチ１０２へのキャッチ３１の簡単なスナップによってシャーシ棒１０１から容易に組み立ておよび取り外されることができ、それから、対応するレンズ保持デバイス１をシャーシ棒１０１から取り外すことによって、それに直接に指で触れることなく、光学レンズ１０の検証をおこなうことが可能である。
【００３９】
光学レンズ１０を所定の場所に保持するための手段４は、光学レンズ１０のための少なくとも一つの第一の休止点ａを定める支持手段５と、光学レンズ１０のための少なくとも二つの他の休止点ｂ，ｃを定める弾性復元手段６を備えている。
【００４０】
異なる休止点ａ，ｂ，ｃは、光学レンズの周囲エッジ１１を押し、光学レンズはまた、二つの主要面１２またはオプティクスを備えている。
【００４１】
異なる休止点ａ，ｂ，ｃは、光学レンズ１０の設置位置を定める。
【００４２】
この設置位置は、レンズホルダーデバイス１が引っかけられる支持体１０１によって想定される方向に実質的に平行である。
【００４３】
点ａを定める支持手段５は、吊り手段３に対して静止しており、それは、他の二つの休止点ｂ，ｃを定める弾性復元手段６についての場合とは異なり、それらの位置は吊り手段３に対して変化し得る。したがって、点ｂ，ｃの位置は、光学レンズ１０の固有の特徴、その寸法やその重さなどの関数として変化するが、点ａの位置は、使用される光学レンズ１０に関係なく不変である。
【００４４】
レンズホルダーデバイス１の本体２は、光学レンズ１０によって占められる設置位置の向かいに配置された空間の部分を迂回するように構成されている。
【００４５】
用語「前記設置位置に面して」は、光学レンズがその設置位置に配置されたときに、光学レンズ１０の二つの主要ベース１２またはオプティクスを通過するとともに光学レンズの設置位置があてはまっている平面に実質的に垂直である直線の組によって定められる、前記空間の一部分を指していると、もちろん理解されなければならない。
【００４６】
説明された実施形態では、この迂回は、光学レンズ１０の設置位置が広がっている平面と同じ平面に沿って光学レンズ１０の維持設置位置の周囲に延びている、少なくとも一つの第一の休止点と吊り手段３の間の本体２の連結部によってなされている。
【００４７】
同様に、本体２は、支持体１０１の方向に交差しているとともに、少なくとも一つの第一の休止点とレンズホルダーデバイス１の吊り手段３があてはまっている平面を、実質的に鉛直に、方向づけるように設計されたカウンターウェイトを備えている。
【００４８】
このカウンターウェイト２０は、本体２と吊り手段３と共に単一ピースに作られており、吊り手段３のキャッチ３１のブランチ３１ｂに平行な横断平面を超えた本体２の第一の端の延長部に位置している。
【００４９】
支持手段５は、本体２に対して静止しており、吊り手段３が配置されている本体２の第一の端の反対側の本体２の第二の端に配置されている。
【００５０】
維持手段４の支持手段５は、単一ピースに作られたストップ５１を有している。
【００５１】
ストップ５１は、レンズホルダーデバイス１が引っかけられる支持体１０１によって想定される方向に対して実質長手平面内に広がっており、その方向は、本実施形態では、吊り手段３のキャッチ３１の逆Ｕ字形状が広がっている平面に交差している方向と一致している。
【００５２】
支持手段５は、ほぞ穴機能をおこなうストップ５１を貫いて機械加工された二つの交差スリットの中への、ほぞとして作用する本体２の端の二つの突起部の調整された挿入によってほぞ・ほぞ穴タイプのアッセンブリーを形成することによって本体２に留められている。
【００５３】
それから、本体２の端への支持手段５の不動化が、先をつぶすことによってなされ、それは、支持手段５の本体２の端の突起部の一つの塑性変形を生じさせる。
【００５４】
ストップ５１は、さまざまな厚さの光学レンズ１０を留めておくことを可能にする、段々の側方エッジをもつカップの形をしている上側輪郭を有している。
【００５５】
弾性復元手段６は、二本のアーム６１ａ’および６１ａ”をそれぞれ形成するようにその中間で折り曲げられた細い金属ロッド６１で作られている。
【００５６】
ロッド６１は、レンズホルダーデバイス１の本体２の一方の側に配置されており、レンズホルダーデバイス１が引っかけられる支持体１０１によって想定される方向に実質的に交差して、特には説明された実施形態では、吊り手段適合３があてはまっている平面に対する縦平面内に延びている。
【００５７】
ロッド６１は、その端が本体２に固定されているリベット６３によって具体化された軸のまわりにはめ込まれており、それを吊り手段３に連結している。
【００５８】
ロッド６１によって形成された二本のアーム６１ａ’および６１ａ”は、互いの方に弾性的に戻され、それは、光学レンズ１０をロッド６１の二つの自由端６５ａ’および６５”の間に、前記自由端６５ａ’および６５”のおのおのに溶接された接触ピース６６によってはさむことを可能にする。
【００５９】
本体２の一方の側のロッド６１の留めによるシフトをオフセットし、したがって光学レンズの設置位置を本体２が広がっている平面上に戻すために、ロッド６１は、前記自由端のおのおのの近くでバッフルの形にわずかに折り曲げられており、各接触ピース６６は、レンズホルダーデバイス１の向かいのロッド６１の端６５ａ’，６５”の側方エッジに溶接されている。
【００６０】
接触ピース６６は、光学レンズ１０と接触するように設計されたその端に、不定の厚さの光学レンズ１０を保持することを可能にする湾曲切り欠き６７を有している湾曲ブレードの形をしている金属ピースである。
【００６１】
湾曲切り欠き６７はおのおの、光学レンズ１０の周囲エッジ１１をチップ６８と接触させて配置することによって、非常に厚い光学レンズ１０を保持することを可能にする二つのチップを表し、それは、特に、光沢または他の液を塗布した後に、低減した接触表面のおかげで後者が変化しないことをもたらす。
【００６２】
薄い光学レンズ１０は、各切り欠き６７の二つのチップ６８の間に周囲エッジ１１を配置することによって支えられる。
【００６３】
したがって得られたレンズホルダーデバイス１は、光学レンズ１０の二つの主要表面１２またはオプティクスの全部について、反射、透過およびかすめ入射光光学分析をおこなうことを可能にする。
【００６４】
本発明は、特定の実例実施形態に関連して説明されたが、それに制限されるものではまったくなく、反対に、説明された手段のすべての技術的な相当物およびそれらの任意の組み合わせを包含している。
【図１】
2014508957.tif 000003
【図２】
2014508957.tif 000004
【図３】
2014508957.tif 000005
【図４】
2014508957.tif 000006
【手続補正書】
【提出日】平成25年8月1日(2013.8.1)
【手続補正１】
【補正対象書類名】明細書
【補正対象項目名】００３０
【補正方法】変更
【補正の内容】
【００３０】
いずれにおいても、本発明は、非限定的な例として、本発明によるレンズホルダーデバイスを示している添付の図面に関連した続く説明を使用して、よく理解されるであろう。
【図１】図１は、本発明によるレンズホルダーデバイスの一つの実施形態のほぼ斜視図を示している。
【図２】図２は、図１のデバイスの第一の部分の詳細図を示している。
【図３】図３は、図１のデバイスの一部分の詳細な側面図を示している。
【図４】図４は、コンベヤーキャリッジの支持体上に配された本発明によるレンズホルダーデバイスを示している。
【国際調査報告】
2014508957.tif 000007
2014508957.tif 000008
2014508957.tif 000009
2014508957.tif 000010